(57)【要約】      （修正有）【課題】簡単な構成で顔面は勿論、横顔、後頭部等を自然な形状で視認可能な人物用多面鏡を提供する。【解決手段】正面の上向きに傾斜している方形の鏡面１とこれに対向する三面鏡とからなり、三面鏡は台形の鏡面２を隣接する平行四辺形の鏡面３で両側から挟むものであり、台形の鏡面２は方形の鏡面１に対向する位置にあり、斜辺が対称をなし、下向きに傾斜しており、平行四辺形の鏡面３が台形の鏡面２の斜辺と同長でその斜辺に隣接する一辺と、その一辺との交差角８５度をなす０．８７倍長の他辺とからなり、台形の鏡面２の両側に鈍角をなし接続している。なお、正面の方形の鏡面１が０〜１０度上向きに傾斜しており、対向位置にある中央の台形の鏡面２が２０〜２５度下向きに傾斜していて、その両側の平行四辺形の鏡面３が中央の台形の鏡面２に対しそれぞれ１１０〜１３０度で拡開しているものが好適で自然の形状の写像が得られる。【選択図】図１
0003114105.tif 000002
【実用新案登録請求の範囲】
【請求項１】
正面の上向きに傾斜している方形の鏡面（１）とこれに対向する三面鏡とからなり、三面鏡は台形の鏡面（２）を隣接する平行四辺形の鏡面（３）で両側から挟むものであり、台形の鏡面（２）は方形の鏡面（１）に対向する位置にあり、斜辺が対称をなし、下向きに傾斜しており、平行四辺形の鏡面（３）は台形の鏡面（２）の斜辺と同長でその斜辺に隣接する一辺と、その一辺との交差角８５度をなす０．８７倍長の他辺とからなり、台形の鏡面（２）の両側に鈍角をなし接続していることを特徴とする人物用多面鏡。
【請求項２】
正面の方形の鏡面（１）が０〜１０度上向きに傾斜しており、対向位置にある中央の台形の鏡面（２）が２０〜２５度下向きに傾斜していて、その両側の平行四辺形の鏡面（３）が中央の台形の鏡面（２）に対しそれぞれ１１０〜１３０度で拡開している請求項１記載の人物用多面鏡。
【考案の詳細な説明】
【技術分野】
【０００１】
本考案は人物用の多面鏡に関する。
【０００２】
従来、頭部の背面や側面を見るため、補助の手鏡を使用したり、市販の三面鏡が使用されているが、形状が歪み、限られた範囲しか視認できず、満足すべきものではない。
【０００３】
従来、工夫されたものとして、特許文献１には姿見に着衣の背面を向け、前面に小型鏡面を目線の高さに保持して背面のみが写るようにしたものや、後頭部辺のみが写るようにしたものもあるが、それだけでは足りず、また、上下方向の三面鏡の下面の鏡で頭頂部を見るようにした特許文献２もあるが、下面の鏡面に人体を載せるので、破損のおそれがあり、また頭頂部を見る要望が一般的なものか否かにも疑問がある。
【特許文献１】公開実用新案昭６３−１１５３７０
【特許文献２】実開平７−２８４６７
【考案の開示】
【考案が解決しようとする課題】
【０００４】
本考案は簡単な構成で顔面は勿論、横顔、後頭部等を自然な形状で視認可能な人物用多面鏡を提供せんとするものである。
【課題を解決するための手段】
【０００５】
ここにおいて本考案者は、正面の上向きに傾斜している方形の鏡面（１）とこれに対向する三面鏡とからなり、三面鏡は台形の鏡面（２）を隣接する平行四辺形の鏡面（３）で両側から挟むものであり、台形の鏡面（２）は方形の鏡面（１）に対向する位置にあり、斜辺が対称をなし、下向きに傾斜しており、平行四辺形の鏡面（３）が台形の鏡面（２）の斜辺と同長でその斜辺に隣接する一辺と、その一辺との交差角８５度をなす０．８７倍長の他辺とからなり、台形の鏡面（２）の両側に鈍角をなし接続している人物用多面鏡を見出し、さらに、正面の方形の鏡面（１）が０〜１０度上向きに傾斜しており、対向位置にある中央の台形の鏡面（２）が２０〜２５度下向きに傾斜していて、その両側の平行四辺形の鏡面（３）が中央の台形の鏡面（２）に対しそれぞれ１１０〜１３０度で拡開しているものが好適であることを見出すにいたった。
【考案の効果】
【０００６】
本考案の人物用多面鏡は製作が容易なうえ、設備さえととのえば顔は勿論、横顔、後頭部のほか、うなじや肩周辺、背中までも自然な形状で見ることができる。なお、鏡面をやや大きくすれば上半身や全身の着衣状態までも好みの角度で見ることができて便利であるので、家庭用のほか、理髪店や美容院、芸能人楽屋、レストラン・ホテウ・オフィスの洗面所等においても広く用いられることが予想される。
【考案を実施するための最良の形態】
【０００７】
本考案の人物用多面鏡の鏡面は硝子や金属板（研磨ステンレス・アルミニウム、反射薄膜被覆プラスチック）等を素材として、鏡面を枠に嵌め、枠の高さと角度とを所定位置に設ければよい。正面の傾斜せる鏡面１に関しては壁立て式で適宜大きさのものを選択し、これに対向する逆傾斜せる中央の鏡面２を囲む両側の平行四辺形の鏡面３に関しては台付き床置き方式か天井収納方式等をとるのが好ましい。
【０００８】
鏡面１の角度調整には案内枠を当て、鏡面２、３の角度調整には、改造した旗丁番を使用して角度設定後、丁番の回転軸の環状横溝に丁番と一体の環状部に螺合してボルトのやや先鋭な先端を当接し丁番の角度を固定するようにすればよい。このようにして本考案の人物用多面鏡は使用者の使用位置に合わせて諸々の高さと角度を調整し固定することにより構成される。
【０００９】
さらに、自動車の助手席等において、本考案の人物用多面鏡を小型にしたものをセットすること可能である。
【実施例１】
【００１０】
頭部用の好適例として、下記に表１をあげておくので、角度調整具の図示を省略してある図１を参照されたい。なお、ここで三面鏡は天井収納方式である。
【００１１】
【表１】
0003114105.tif 000003
【産業上の利用可能性】
【００１２】
本考案の人物用多面鏡は家庭用のほか、理髪店、美容院、芸能人楽屋、レストラン・ホテル・オフィスの洗面所等においても広く用いられることが充分予想されるので、設備の制作で産業の活性化に貢献するものと思われる。
【図面の簡単な説明】
【００１３】
【図１】本考案の実施例による人物用多面鏡の配置説明図である。
【符号の説明】
【００１４】
１  正面の傾斜している方形の鏡面
２  対向位置にある台形の鏡面
３  対向位置にある台形の鏡面の両側の平行四辺形の鏡面
【図１】
0003114105.tif 000004
【手続補正書】
【提出日】平成17年6月27日(2005.6.27)
【手続補正１】
【補正対象書類名】明細書
【補正対象項目名】０００５
【補正方法】変更
【補正の内容】
【０００５】
ここにおいて本考案者は、正面の上向きに傾斜している方形の鏡面（１）とこれに対向する三面鏡とからなり、三面鏡は台形の鏡面（２）を隣接する平行四辺形の鏡面（３）で両側から挟むものであり、台形の鏡面（２）は方形の鏡面（１）に対向する位置にあり、斜辺が対称をなし、下向きに傾斜しており、平行四辺形の鏡面（３）が台形の鏡面（２）の斜辺と同長でその斜辺に隣接する一辺と、その一辺との交差角８５度をなす０．８７倍の長さの他辺とからなり、台形の鏡面（２）の両側に鈍角をなし接続している人物用多面鏡を見出し、さらに、正面の方形の鏡面（１）が０〜１０度上向きに傾斜しており、対向位置にある中央の台形の鏡面（２）が２０〜２５度下向きに傾斜していて、その両側の平行四辺形の鏡面（３）が中央の台形の鏡面（２）に対しそれぞれ１１０〜１３０度で拡開しているものが好適であることを見出すにいたった。
【手続補正書】
【提出日】平成17年6月28日(2005.6.28)
【手続補正１】
【補正対象書類名】明細書
【補正対象項目名】０００５
【補正方法】変更
【補正の内容】
【０００５】
ここにおいて本考案者は、正面の上向きに傾斜している方形の鏡面（１）とこれに対向する三面鏡とからなり、三面鏡は台形の鏡面（２）を隣接する平行四辺形の鏡面（３）で両側から挟むものであり、台形の鏡面（２）は方形の鏡面（１）に対向する位置にあり、斜辺が対称をなし、下向きに傾斜しており、平行四辺形の鏡面（３）が台形の鏡面（２）の斜辺と同長でその斜辺に隣接する一辺と、その一辺との交差角８５度をなす０．８７倍の長さの他辺とからなり、台形の鏡面（２）の両側に鈍角をなし接続している人物用多面鏡を見出し、さらに、正面の方形の鏡面（１）が０〜１０度上向きに傾斜しており、対向位置にある中央の台形の鏡面（２）が２０〜２５度下向きに傾斜していて、その両側の平行四辺形の鏡面（３）が中央の台形の鏡面（２）に対しそれぞれ１１０〜１３０度で拡開しているものが好適であることを見出すにいたった。
【手続補正２】
【補正対象書類名】明細書
【補正対象項目名】０００６
【補正方法】変更
【補正の内容】
【０００６】
本考案の人物用多面鏡は製作が容易なうえ、設備さえととのえば顔は勿論、横顔、後頭部のほか、うなじや肩周辺、背中までも自然な形状で見ることができる。なお、鏡面をやや大きくすれば上半身や全身の着衣状態までも好みの角度で見ることができて便利であるので、家庭用のほか、理髪店や美容院、芸能人楽屋、レストラン・ホテル・オフィスの洗面所等においても広く用いられることが予想される。
【手続補正３】
【補正対象書類名】明細書
【補正対象項目名】０００９
【補正方法】変更
【補正の内容】
【０００９】
さらに、自動車の助手席等において、本考案の人物用多面鏡を小型にしたものをセットすることも可能である。
【手続補正４】
【補正対象書類名】明細書
【補正対象項目名】００１０
【補正方法】変更
【補正の内容】
【００１０】
頭部用の好適例として、下記に表１をあげておくので、角度調整具の図示を省略してある図１を参照されたい。なお、ここで三面鏡は天井吊り下げ固定式である。
【手続補正書】
【提出日】平成17年7月11日(2005.7.11)
【手続補正１】
【補正対象書類名】明細書
【補正対象項目名】０００８
【補正方法】変更
【補正の内容】
【０００８】
鏡面１の角度調整には案内枠を当て、鏡面２、３の角度調整には、改造した旗丁番を使用して角度設定後、丁番の回転軸の環状横溝に丁番と一体の環状部に螺合してボルトのやや先鋭な先端を当接し丁番の角度を固定するようにすればよい。このようにして本考案の人物用多面鏡は使用者の使用位置に合わせて諸々の高さと角度を調整し固定することにより構成される。